(57)【要約】      （修正有）【課題】保冷材その他の備品を容易且つ確実に収容保持できる包装箱における備品収納壁構造を提供する。【解決手段】平面視でコーナー角を有する多角形の底板２又は天板６からなる板部材の外周の各辺に、互いに隣接して起立する周壁３ａ，３ｂ，４ａ，４ｂを連設した。そして周壁の自由端に内側に折返すように内周壁２９，５９ａ，５９ｂを連設し、板部材の内面に沿わせて折曲げ固定される帯状の当接フラップ３０，６１ａ，６１ｂを設け、周壁の内面との間に保冷材９１その他の備品を収容して保持する備品収容スペースを形成した。また周壁と内周壁との間に額縁幅に相当する幅の縁部１２，５４ａ，５４ｂを設け、内周壁に包装箱内側との通気を可能にする通気孔３１を形成した。【選択図】図２
0003114384.tif 000002
【実用新案登録請求の範囲】
【請求項１】
平面視でコーナー角を有する多角形の底板（２）又は天板（６）からなる板部材の外周の各辺に、互いに隣接して起立する周壁（３ａ），（３ｂ），（４ａ），（４ｂ）を連設した包装箱において、前記周壁（３ａ），（３ｂ），（４ａ），（４ｂ）の自由端に内側に折返すように連設した内周壁（２９），（５９ａ），（５９ｂ）と、上記板部材の内面に沿わせて折曲げ固定される帯状の当接フラップ（３０），（６１ａ），（６１ｂ）とを設けて前記周壁（３ａ），（３ｂ），（４ａ），（４ｂ）の内面との間に保冷材（９１）その他の備品を収容して保持する備品収容スペースを形成した包装箱における備品収容壁構造。
【請求項２】
上記周壁（３ａ），（３ｂ），（４ａ），（４ｂ）と内周壁（２９），（５６ａ），（５６ｂ）との間に額縁幅に相当する幅の縁部（１２），（５４ａ），（５４ｂ）を設けた請求項１の包装箱における備品収容壁構造。
【請求項３】
上記内周壁（２９），（５９ａ），（５９ｂ）に包装箱（１），（５１），（７１）内側との通気を可能にする通気孔（３１）を形成した請求項１又は２の包装箱における備品収容壁構造。
【請求項４】
上記縁部（１２），（５８ａ），（５８ｂ）又は内周壁（２９），（５６ａ），（５６ｂ）に保冷材（５１）その他の備品を投入する投入孔（３３）を形成した請求項１，２又は３の包装箱における備品収容壁構造。
【請求項５】
保冷材（９１）その他の備品を備品収容スペースより取り出すために、組立完了後に開口可能な開口蓋（６３）又は組立完了後に切取り可能な切取蓋を設けた請求項１，２，３又は４の包装箱における備品収容壁構造。
【請求項６】
上記周壁（３ａ），（３ｂ），（４ａ），（４ｂ）のうちの１つである前壁（３ａ）両端に隣接する他の周壁（４ａ），（４ｂ）の前端に、内向きにアングル状に折曲げ可能な前端フラップ（１６ａ），（１６ｂ）を連設した包装箱において、前端フラップ（１６ａ），（１６ｂ）の連結基端部の上端に係止爪（１３ａ），（１３ｂ）を突出形成し、前壁（３ａ）と縁部（１２）との間の折目の両端に切込み（１４ａ），（１４ｂ）を形成し、前壁（３ａ）と左右側壁（４ａ），（４ｂ）とを起立させた際に、係止爪（１３ａ），（１３ｂ）を切込み（１４ａ），（１４ｂ）に対して前壁（３ａ）の左右両側より挿入することにより起立状態を保持する係合部を設けた請求項１，２，３，４又は５の包装箱における備品収容壁構造。
【請求項７】
背面側の周壁（３ｂ）の上端に蓋前壁（８）付の蓋を構成する天板（６）を折曲げ可能に連設し、前壁（３ａ）には閉蓋時に蓋前壁（８）外周面側より、蓋前壁（８）に設けた係止孔（２３）に対して差込み係止することにより閉蓋状態を保持する爪部（２２）付の係止片（２１）を切残し形成し、爪部（２２）付の係止片（２１）を係止孔（２３）に対して差込み係止した閉蓋状態において、係止片（２１）を係止孔（２３）より引抜き解除するために押込み揺動させて係止片（２１）を爪掛けする操作孔（２５）を蓋前壁（８）に切残し形成した請求項１，２，３，４，５又は６の包装箱における備品収容壁構造。
【請求項８】
隣接する周壁（３ａ），（４ａ），（３ｂ），（４ｂ）間に中間部に設けた山線の折目（５２ａ），（５２ｂ）を介して各隣接壁を連結するひだ状の連結片（５３ａ），（５３ｂ）を折り曲げ可能に連設し、上記連結片（５３ａ），（５３ｂ）を折目（５２ａ），（５２ｂ）の片側に隣接する周壁（３ａ），（３ｂ）内面と接着固定する固定部（５４ａ），（５４ｂ）と、前記折目（５２ａ），（５２ｂ）を介して折曲げ回動可能な可動部（５６ａ），（５６ｂ）とで構成し、連結片（５３ａ），（５３ｂ）の固定部（５４ａ），（５４ｂ）側の周壁（３ａ），（３ｂ）の上端に、連結片（５３ａ），（５３ｂ）の上端を折畳み起立状態で挟持する押え片（５７）を折返し形成した構造において、内周壁（５９ａ），（５９ｂ）と折畳み収容保持された連結片（５３ａ），（５３ｂ）との間に形成された隙間（Ｓ）に挿入され係止固定される突起部（６８ａ），（６８ｂ）が上記押え片（５７）の両端部に突出形成された請求項２，３，４，５又は６の包装箱における備品収容壁構造。
【請求項９】
上記隙間（Ｓ）が、周壁（４ａ），（４ｂ）の前後幅（ｔ1）に対し、縁部（５８ａ），（５８ｂ）を介して周壁（４ａ），（４ｂ）内面側に折返される内周壁（５９ａ），（５９ｂ）の前後幅（ｔ2）を狭く形成することにより設けられた請求項８の包装箱における備品収容壁構造。
【考案の詳細な説明】
【技術分野】
【０００１】
この考案はケーキ等の収容物を収容する包装箱に関し、特に保冷材やローソク，表示プレートその他の付属品等を収容する包装箱における備品収納壁構造に関する。
【背景技術】
【０００２】
従来の保冷材等を収容する包装箱としては、左右の前フラップの延長上に帯状片３０，３１を折曲げ可能に連設し、該帯状片３０，３１を両側から差し渡し、２箇所で差込んで収容部を形成する包装箱が公知である（例えば、特許文献１参照。）。
包装箱の周壁同士を重ね合わせ、その重ね合わせ部において一方の周壁に設けた係止片を、他方の周壁に設けた係止孔に挿入し、両周壁を係止して接合する係止部を設けた包装箱における係止構造が公知である（例えば、特許文献２参照。）。
【特許文献１】登録実用新案第３０７５５２５号公報（図３）
【特許文献２】登録実用新案第３０８７６４６号公報（図１）
【考案の開示】
【考案が解決しようとする課題】
【０００３】
しかし、特許文献１の図１〜６に示される例では、帯状片３０に形成された折目３６，３７，３８，３９の折曲げ作業が複雑であるとともに、該帯状片３０，３１に形成された切込み３２，３４，３３，３５による係止作業が、帯状片３０，３１を両側から差し渡し、２箇所で差込んで係止しなければならず、店頭等の現場作業が煩雑になるという問題があった。
【０００４】
また特許文献２では、周壁の重ね合わせ部において一方の周壁の係止片を他方の周壁の係止孔に挿入して係止することによって周壁同士を確実に固定することができるものの、一旦挿入係止された係止片と周壁間に指や爪を掛けるスペースが少ないために、店頭等でケーキを購入した消費者が帰宅後、係合部を解除する際に手間がかかるほか、指先や爪を損傷するという問題が生じていた。
この考案は、これらの課題を解決又は改善しようとするものである。
【課題を解決するための手段】
【０００５】
上記課題を解決するための本考案の包装箱における備品収納壁は、第１に、平面視でコーナー角を有する多角形の底板２又は天板６からなる板部材の外周の各辺に、互いに隣接して起立する周壁３ａ，３ｂ，４ａ，４ｂを連設した包装箱において、前記周壁３ａ，３ｂ，４ａ，４ｂの自由端に内側に折返すように連設した内周壁２９，５６ａ，５６ｂと、上記板部材の内面に沿わせて折曲げ固定される帯状の当接フラップ３０，５７ａ，５７ｂとを設けて前記周壁３ａ，３ｂ，４ａ，４ｂの内面との間に保冷材９１その他の備品を収容して保持する備品収容スペースを形成したことを特徴としている。
【０００６】
第２に、上記周壁３ａ，３ｂ，４ａ，４ｂと内周壁２９，５６ａ，５６ｂとの間に額縁幅に相当する幅の縁部１２，５４ａ，５４ｂを設けたことを特徴としている。
【０００７】
第３に、上記内周壁２９，５６ａ，５６ｂに包装箱１内側との通気を可能にする通気孔３１を形成したことを特徴としている。
【０００８】
第４に、上記縁部１２，５４ａ，５４ｂ又は内周壁２９，５６ａ，５６ｂに保冷材５１その他の備品を投入する投入孔３３を形成したことを特徴としている。
【０００９】
第５に、保冷材９１その他の備品を備品収容スペースより取り出すために、組立完了後に開口可能な開口蓋５９又は組立完了後に切取り可能な切取蓋を設けたことを特徴としている。
【００１０】
第６に、上記周壁３ａ，３ｂ，４ａ，４ｂのうちの１つである前壁３ａ両端に隣接する他の周壁４ａ，４ｂの前端に、内向きにアングル状に折曲げ可能な前端フラップ１６ａ，１６ｂを連設した包装箱において、前端フラップ１６ａ，１６ｂの連結基端部の上端に係止爪１３ａ，１３ｂを突出形成し、前壁３ａと縁部１２との間の折目の両端に切込み１４ａ，１４ｂを形成し、前壁３ａと左右側壁４ａ，４ｂとを起立させた際に、係止爪１３ａ，１３ｂを切込み１４ａ，１４ｂに対して前壁３ａの左右両側より挿入することにより起立状態を保持する係合部を設けたことを特徴としている。
【００１１】
第７に、背面側の周壁３ｂの上端に蓋前壁８付の蓋を構成する天板６を折曲げ可能に連設し、前壁３ａには閉蓋時に蓋前壁８外周面側より、蓋前壁８に設けた係止孔２３に対して差込み係止することにより閉蓋状態を保持する爪部２２付の係止片２１を切残し形成し、爪部２２付の係止片２１を係止孔２３に対して差込み係止した閉蓋状態において、係止片２１を係止孔２３より引抜き解除するために押込み揺動させて係止片２１を爪掛けする操作孔２５を蓋前壁８に切残し形成したことを特徴としている。
【００１２】
第８に、隣接する周壁３ａ，４ａ，３ｂ，４ｂ間に中間部に設けた山線の折目５２ａ，５２ｂを介して各隣接壁を連結するひだ状の連結片５３ａ，５３ｂを折り曲げ可能に連設し、上記連結片５３ａ，５３ｂを折目５２ａ，５２ｂの片側に隣接する周壁３ａ，３ｂ内面と接着固定する固定部５４ａ，５４ｂと、前記折目５２ａ，５２ｂを介して折曲げ回動可能な可動部５６ａ，５６ｂとで構成し、連結片５３ａ，５３ｂの固定部５４ａ，５４ｂ側の周壁３ａ，３ｂの上端に、連結片５３ａ，５３ｂの上端を折畳み起立状態で挟持する押え片５７を折返し形成した構造において、内周壁５９ａ，５９ｂと折畳み収容保持された連結片５３ａ，５３ｂとの間に形成された隙間Ｓに挿入され係止固定される突起部６８ａ，６８ｂが上記押え片５７の両端部に突出形成されたことを特徴としている。
【００１３】
第９に、上記隙間Ｓが、周壁４ａ，４ｂの前後幅ｔ1に対し、縁部５８ａ，５８ｂを介して周壁４ａ，４ｂ内面側に折返される内周壁５９ａ，５９ｂの前後幅ｔ2を狭く形成することにより設けられたことを特徴としている。
【考案の効果】
【００１４】
以上の如く構成される本考案の包装箱における備品収納壁によれば、以下に示すような効果を奏するものである。
（１）周壁の上端に内周壁を折曲げ可能に連設し、該内周壁を内側に折曲げることにより前壁の内面との間に保冷材その他の備品を収容して保持する備品収容スペースを形成したので、保冷材その他の備品を容易且つ確実に収容保持できるとともに、内周壁を内側に折返し周壁を２重壁とすることにより周壁の強度が増し、箱組後の積み重ねをすることができる。
【００１５】
（２）周壁の幅及び高さに対応した備品収容スペースを確保することができるので、長さや幅のある備品を収容保持することができる。縁部の幅を変更することによって厚みのある備品を収容保持することもできる。
【００１６】
（３）板状の出荷状態が備品収容スペースを設けていない従来品と同面積であるので、店頭等の現場での新たな保存スペースの確保の必要がない。また内周壁はその自由端側に当接フラップを連設し、当接フラップを予め底板に接着固定する構成であるので、備品収容スペースの形成は周壁の起立作業だけで良く、店頭の現場での作業性を向上させることができる。
【００１７】
（４）縁部又は内周壁に投入孔を設けたので保冷材その他の備品を容易に投入できるほか、内周壁に通気孔を形成したので、ケーキ等の内容物に対する冷却効率を向上させることができる。また組立完了後に開口可能な開口蓋又は切取り可能な切取蓋を内周壁に形成したことにより、保冷材その他の備品を簡単に取り出すことができる。
【００１８】
（５）前端フラップの連結基端部の上端に係止爪を突出形成し、前壁と縁部との間の折目の両端に切込みを形成し、前壁と左右側壁とを起立させた際に、係止爪を切込みに前壁の左右両側より挿入することにより、起立状態を保持する係合部を設けているので、備品収容スペースを確保し且つ前壁及び左右側壁の起立状態を容易に保持することができる。
【００１９】
（６）重ね合わされた前壁と蓋前壁とが係止片と係止孔によって係止固定される閉蓋構造において、蓋前壁に係止片を係止孔より引抜き解除するための操作孔を切残し形成したことにより、操作孔に指を入れて係止片の上端に指又は爪を掛けることができ、係止孔に挿入係止された係止片を容易に解除することができる。
【００２０】
（７）ｔ1−ｔ2＝２Ｓの数式で示されるように、内周壁の前後端にそれぞれ隙間が形成されるので、折畳まれた連結片と押え片両端に突出形成された突起部とを容易に収容することができる。また前記突起部が隙間に挿入され係止固定される構成であるので、押え片の可動部を接着剤等によって接着固定する必要がなく、店頭等の現場での箱組みに要する作業を効率よく進めることができる。
【考案を実施するための最良の形態】
【００２１】
以下本考案の第１実施形態を図面に基づき説明する。図１は箱組み後の斜視図，図２は箱の組立途中を示す斜視図，図３は内面展開図を示している。
【００２２】
包装箱１は本体１ａと蓋１ｂからなり、本体１ａは正方形又は長方形の底板２に対して周壁として前後壁３ａ，３ｂと左右側壁４ａ，４ｂが折曲げ起立可能に連設されている。蓋１ｂは後壁３ｂの延長上に正方形又は長方形の天板６が折曲げ可能に連設されており、天板６の左右端及び前端には左右蓋側壁７及び蓋前壁８が折曲げ可能に連設されている。該蓋前壁８の左右端には接着片９が折曲げ可能に連設され、前記左右の蓋側壁７及び蓋前壁８が蓋１ｂの蓋周壁を形成し、上記本体１ａに開閉嵌合する蓋１ｂを構成している。
【００２３】
左右側壁４ａ，４ｂ上端には上部フラップ１１ａ，１１ｂが折り曲げ可能に連設され、その前端には起立した前壁３ａの内面と重なり合う前端フラップ１６ａ，１６ｂが折り曲げ可能に連設されている。また前壁３ａの上端には縁部１２が設けられている。前端フラップ１６ａ，１６ｂの連結基端部の上端には係止爪１３ａ，１３ｂが突出形成され、前壁３ａと縁部１２の間の折目の両端には切込み１４ａ，１４ｂが形成されている。
【００２４】
前端フラップ１６ａ，１６ｂをアングル状に内側に折曲げて前壁３ａを起立させた際に、係止爪１３ａ，１３ｂが切込み１４ａ，１４ｂに挿入係合される係合部が設けられている。そして各周壁の上端を補強する蓋受け用周縁部を形成するとともに、前壁３ａ及び左右側壁４ａ，４ｂの起立状態を保持する構成となっている。
【００２５】
底板２と左右側壁４ａ，４ｂの折目には係止孔１７が切込形成され、後壁３ｂの左右端には接合フラップ１８が折り曲げ可能に連設されている。そして包装箱１の組立状態において、上記接合フラップ１８の前方下端側に前記係止孔１７に嵌合係止し左右側壁４ａ，４ｂ及び後壁３ｂの起立状態を保持する係止爪１９が突出形成されている。
【００２６】
前壁３ａの略中央の上端位置には、略Ｔ字形をなす係止片２１が切残し形成されており、該係止片２１には左右上端に爪部２２が突出形成されている。該係止片２１は折目２１ａを介して折曲げ可能に構成されている。蓋１ｂの蓋前壁８には前記係止片２１の爪部２２に対応する位置にハ字型の係止孔２３が形成され、該係止孔２３の上部（天板６側）には後述する操作孔２５が切残し形成されている。本体１ａに対して蓋１ｂが嵌合し閉蓋される際に、蓋前壁８は前壁３ａと係止片２１との間に差込まれ、係止片２１の爪部２２が係止孔２３に差込まれることにより、蓋１ｂの閉蓋が保持される構成となっている。
【００２７】
図３の内面展開図に示すように、左右側壁４ａ，４ｂの内面側及び接合フラップ１８の裏側には接着代２４ａ，２４ｂがそれぞれ形成され、左右側壁４ａ，４ｂの後方の底部コーナーを略２等分する方向であって上部フラップ１１ａ，１１ｂの左右前端に至る折目２６（外側において谷線）が形成されている。同様に蓋側壁７の内面側及び接着片９の裏側にも接着代２７ａ，２７ｂが形成され、蓋側壁７には蓋前壁８側の連結基端部コーナーを略２等分する方向に折目２８（外側において谷線）が形成されている。
【００２８】
前壁３ａの上端には縁部１２を介して内前壁（内周壁）２９が折曲げ可能に連設され、内前壁２９の自由端には底板２の内面に沿って折曲げられる帯状の当接フラップ３０が連設されている。そして内前壁２９を前壁３ａ内面側に折返して保冷材９１その他の備品を収容して保持する備品収容スペースを形成する構成となっている。起立状態での内前壁２９は底板２側に向かって幅狭な略逆台形状に形成され、該内前壁２９の両側辺は互いに内側に湾曲形成されている。
【００２９】
内前壁２９を前壁３ａ内面側に折重ね状態で起立させた際に、該内前壁２９には包装箱１内との通気を可能にする通気孔３１が切欠形成されている。この例では図２，３に示すように、通気孔３１の形状としては角丸の長方形を２箇所形成した。また内前壁２９の下端には舌部３２が切残し形成され、内前壁２９の起立状態において帯状の当接フラップ３０と舌部３２が内前壁２９の起立状態を保持する構成となっている。この例では舌部３２は３箇所設けられている。
【００３０】
内前壁２９下端の舌部３２によって切残された孔も通気孔３１とともに包装箱１内との通気可能に構成されている。また縁部１２の略中央には保冷材その他の備品を投入する投入孔３３が形成されている。さらに帯状の当接フラップ３０と舌部３２には接着代３４ａが形成され、該接着代３４ａに対応する接着代３４ｂが底板２上に形成されている。
【００３１】
次に図４，５に基づき操作孔２５について説明する。図４及び図５の（Ａ）に示すように、蓋前壁８は折目２１ａを介して前方に折曲げられた係止片２１と前壁３ａとの間に差し込まれ、係止片２１の爪部２２が係止孔２３に挿入係止されて閉蓋状態が保持されている。そして（Ａ）の状態から係止片２１の係合を解除するために、（Ｂ）に示すように指先等で操作孔２５を箱の内側（Ｆ1方向）に向かって押込む。操作孔２５の下端と係止片２１位の上端間に僅かな隙間ができるので、爪又は指先の腹部分を係止片２１の上端に掛けて係止片２１を折目２１ａを介して外側（Ｆ2方向）に揺動させ、係止片２１の係合を引抜き解除する構成となっている。
【００３２】
上記構成による本包装箱１は、本体１ａでは左右側壁４ａ，４ｂの接着代２４ａを接合フラップ１８の接着代２４ｂに糊等の接着剤によって接着固定する。また縁部１２を介して内前壁２９を前壁３ａの内面側に予め折返し、当接フラップ３０及び舌部３２の接着代３４ａを底板２上の接着代３４ｂに接着固定し、保冷材９１その他の備品等の収容スペースを設ける。さらに蓋１ｂでは蓋側壁７の接着代２７ａを接着片９の接着代２７ｂに糊等の接着剤によって接着固定する。
【００３３】
折目２６を介して底板２，前壁３ａ，内前壁２９上に左右側壁４ａ，４ｂ，接合フラップ１８，後壁３ｂ，上部フラップ１１ａ，１１ｂを折畳んで重ね合わせ、天板６内面側にも同様に折目２８を介して蓋側壁７，蓋前壁８，接着片９を折畳んで重ね合わせる。蓋１ｂは後壁３ｂの上端に折曲げ可能に連設されているので、後壁３ｂの底板２上への折畳みに連動して、蓋側壁７，接着片８及び蓋前壁９を折畳んだ蓋１ｂも底板２上に重ね合わせた板状の状態（図示しない）で店頭等の現場へ出荷される。
【００３４】
上述の板状の状態から、蓋１ｂ及び後壁３ｂを起立方向に回動させると、後壁３ｂに連設した接合フラップ１８が左右側壁４ａ，４ｂに接着固定されているので、後壁３ｂの起立に連動して左右側壁４ａ，４ｂが回動起立する。そして左右側壁４ａ，４ｂの起立と同時に接合フラップ１８の前方下端の係止爪１９を係止孔１７に嵌合させて、左右側壁４ａ，４ｂの起立を保持する。
【００３５】
底板２に対して後壁３ｂ及び左右側壁４ａ，４ｂ，接合フラップ１８を起立させた状態で、ケーキ等の内容物を従来公知のケーキ用のトレー（図示しない）とともに底板２上に挿入載置する。そして前端フラップ１６ａ，１６ｂを内側にアングル状に折曲げ、前壁３ａと内前壁２９との間の備品収容スペースに保冷材９１を挿入し、図２の矢印に示すように前壁３ａと内前壁２９とで保冷材９１を収容保持した状態で起立させる。
【００３６】
上部フラップ１１ａ，１１ｂを水平方向内側にアングル状に折曲げるとともに、左右側壁４ａ，４ｂ及び前端フラップ１６ａ，１６ｂを拡開状態にして、前壁３ａの左右両側より前端フラップ１６ａ，１６ｂの係止爪１３ａ，１３ｂを切込み１４ａ，１４ｂに対して挿入し係止する。そして前壁３ａの起立を保持し前壁３ａ及び左右側壁４ａ，４ｂの上端を補強するとともに、蓋受け用周縁部を形成し本体１ａを完成させる。
【００３７】
蓋１ｂも天板６に対して蓋前壁９を起立方向に回動させるとともに、接着片９によって蓋前壁８と連動した蓋側壁７も起立方向に回動させて蓋１ｂを形成する。さらに該蓋１ｂを前記本体１ａに嵌合させ、上述したように係止片２１の爪部２２を蓋前壁８に形成された係止孔２３に差込み、蓋１ｂの閉蓋を保持し包装箱１の箱組みを完成させる。
【００３８】
次に図６，７に基づき第２実施形態の説明をする。包装箱５１は隣接する前後壁３ａ，３ｂと左右側壁４ａ，４ｂ間には、中間部に山線の折目５２ａ，５２ｂを備え、各周壁同士を連結するひだ状の連結片５３ａ，５３ｂが連設されている。該連結片５３ａ，５３ｂは中間部の山線の折目５２ａ，５２ｂを介して前後壁３ａ，３ｂ側に予め接着固定される固定部５４ａ，５４ｂと、折曲げ回動可能な可動部５６ａ，５６ｂとで構成されている。
【００３９】
前後壁３ａ，３ｂの上端には連結片５３ａ，５３ｂの上端を折り畳み起立状態で収納挟持する押え片５７が折曲げ可能に連設され、該押え片５７の左右両端には三角形状の可動部５７ａ，５７ｂが設けられている。そして可動部５７ａ，５７ｂの左右側壁４ａ，４ｂ間側には後述する突起部６８ａ，６８ｂが突出形成されている。
【００４０】
左右側壁４ａ，４ｂの上端には額縁幅の相当する縁部５８ａ，５８ｂを介して左右内側壁５９ａ，５９ｂが折曲げ可能に連設され、該左右内側壁５９ａ，５９ｂの自由端には底板２の内面に沿って折曲げられ予め接着固定される帯状の当接フラップ６１ａ，６１ｂが連設されている。左右内側壁５９ａ，５９ｂは内側に折返されて、保冷材９１その他の備品を収容する備品収容スペースが形成される構成となっている。
【００４１】
左右内側壁５９ａ，５９ｂ中央部上方位置には保冷材９１その他の備品を投入する長方形状の投入孔３３が穿設されている。投入孔３３の下辺の左右頂点から底板２側に向かって切取り可能な点線等からなる案内部６２が形成され、該案内部６２によって組立完了後に開口可能な保冷材９１その他の備品を取り出すための開口蓋６３が折曲げ可能に設けられている。この例では投入孔３３が通気孔を兼ねるものとする。
【００４２】
上記構成による包装箱５１は、上記連結片５３ａ，５３ｂの固定部５４ａ，５４ｂを前後壁３ａ，３ｂの内面に予め接着代６４ａに対して６４ｂを全面接着固定するとともに、押え片５７を内側に折返し、接着代６６ａに対して６６ｂを接着固定する。また上記作業と同時に縁部５８を介して内側壁５９ａ，５９ｂを左右側壁４ａ，４ｂの内側に折り返し、当接フラップ６１ａ，６１ｂの接着代６７ａに対して底板２上面の接着代６７ｂを接着固定する。
【００４３】
そして店頭等の現場での包装箱５１の組立作業は、上記構成により接着固定され、折畳まれた板状の状態（図示しない）から左右側壁４ａ，４ｂ及び内側壁５９ａ，５９ｂ等からなる左右側壁を起立回動させる。該左右側壁４ａ，４ｂには連結片５３ａ，５３ｂを介して前後壁３ａ，３ｂが連結されているので、左右側壁４ａ，４ｂの起立と同時に前後壁３ａ，３ｂも起立させることができる。
【００４４】
左右側壁４ａ，４ｂを起立状態に保つと同時に、押え片５７の左右可動部５７ａ，５７ｂを周縁側に起立状態で保ち、連結片５３ａ，５３ｂの可動部５６ａ，５６ｂを折畳み状態で前後壁３ａ，３ｂ側に重ね合わせる。以下可動部５７ａ，５７ｂの左右側壁４ａ，４ｂ側に突出形成された突起部６８ａ，６８ｂによる周壁固定構造について説明する。
【００４５】
左右側壁４ａ，４ｂの前後幅ｄ1に対し、左右内側壁５９ａ，５９ｂの前後幅ｄ2は僅かに狭く形成されている。ｄ1ーｄ2＝２Ｓに示されるように内側壁５９ａ，５９ｂの各前後端には僅かな隙間Ｓがそれぞれ形成される。そして該隙間Ｓに対して上記突起部６８ａ，６８ｂ及び折畳まれた連結片５３ａ，５３ｂがそれぞれ収容され、押え片５７によって挟持される構成となっている。
【００４６】
周縁側に起立状態で保たれた押え片５７の左右可動部５７ａ，５７ｂを前後壁３ａ，３ｂの内面側に回動させると、上記突起部６８ａ，６８ｂが隙間Ｓに挿入され係止固定される。そして折畳み収容された連結片５３ａ，５３ｂの挟持状態を保持し、各周壁を起立させ箱組みを完成させる構成となっている。箱組み後、保冷材９１その他の備品を投入孔３３より投入し、さらにケーキ等の内容物を底板２上に載置する。ケーキ等の内容物を取り出した後は案内部６２に沿って切取り、開口蓋６３を回動させて備品収容スペースから保冷材９１その他の備品を取り出す。
【００４７】
次に図８に基づき第３実施形態について説明する。包装箱７１は左右側壁４ａ，４ｂ及び左右内側壁５９ａ，５９ｂの前後端には所定幅の前後端フラップ７２が折曲げ可能に連設されている。左右内側壁５９ａ，５９ｂには包装箱７１の内部との通気を可能にする円形状の通気孔３１が３箇所形成されている。左右内側壁５９ａ，５９ｂの下端には舌部７３が３箇所切残し形成され、当接フラップ６１ａ，６１ｂと舌部７３とが予め底板２上に接着固定されている。
【００４８】
包装箱７１は板状の状態で保冷材９１その他の備品を左右側壁４ａ，４ｂと左右内側壁５９ａ，５９ｂとで形成された備品収容スペースに収容する。そして前後壁３ａ，３ｂを起立後、左右側壁４ａ，４ｂと左右内側壁５９ａ，５９ｂとを起立方向に回動させる。前後壁３ａ，３ｂの上端に連設された押え片５７は予めその中央部のみが前後壁３ａ，３ｂの内面と接着固定されている。よって前後壁３ａ，３ｂと押え片５７とで形成された左右側壁４ａ，４ｂ側の隙間に各前後端フラップ７２を挿入し、周壁の起立を保持し箱組みを完成させる。包装箱５１，７１はともに左右側壁内面側に大きな備品収容スペースを確保できるのが利点である。
【００４９】
以上のように構成される本考案の包装箱における備品収納壁構造は、上記態様に限らず６角形等の多角形の底板又は天板に対して周壁及び内周壁を設けて周壁と内周壁とで備品収容スペースを形成させることもできる。また内周壁は上記の説明及び図面に示した形状に限らず、他の形状に形成することができる。さらに内周壁に形成された通気孔の形状は上記態様に限らず他の形状にすることが可能であり、通気孔の数も自由に変更可能である。その他、開口蓋はちぎり取り可能な切取蓋とすることもできる。
【産業上の利用可能性】
【００５０】
本考案の包装箱の係止板の固定構造は、板紙製の折畳み式包装箱だけではなく、ＰＰ，ＰＥ等の合成樹脂製の包装箱やダンボール等の包装箱にも広く応用できるものである。
【図面の簡単な説明】
【００５１】
【図１】本考案の包装箱の第１実施形態の箱組み完成状態を示す斜視図である。
【図２】本考案の包装箱の第１実施形態の組立途中を示す斜視図である。
【図３】本考案の包装箱の第１実施形態の内面展開図である。
【図４】本考案の包装箱の係止片と係止孔による係合状態を示す正面図である。
【図５】本考案の包装箱において、操作孔を利用した係止片の解除動作を示す図４のＡ−Ａ断面図であり、（Ａ）は解除前，（Ｂ）は解除途中，（Ｃ）は解除後を示す。
【図６】本考案の包装箱の第２実施形態の組立途中を示す斜視図である。
【図７】本考案の包装箱の第２実施形態の内面展開図である。
【図８】本考案の包装箱の第３実施形態の組立塗中を示す斜視図である。
【符号の説明】
【００５２】
１      包装箱
２      底板
３ａ    前壁（周壁）
３ｂ    後壁（周壁）
４ａ    左側壁（周壁）
４ｂ    右側壁（周壁）
６      天板
８      蓋前壁
１１ａ  上部フラップ
１１ｂ  上部フラップ
１２    縁部
１３ａ  係止爪
１３ｂ  係止爪
１４ａ  切込み
１４ｂ  切込み
１６    前端フラップ
２１    係止片
２２    爪部
２３    係止孔
２５    操作孔
２９    内前壁（内周壁）
３０    当接フラップ
３１    通気孔
３３    投入孔
５１    包装箱
５２ａ  折目
５２ｂ  折目
５３ａ  連結片
５３ｂ  連結片
５４ａ  固定部
５４ｂ  固定部
５６ａ  可動部
５６ｂ  可動部
５７    押え片
５８ａ  縁部
５８ｂ  縁部
５９ａ  左内側壁（内周壁）
５９ｂ  右内側壁（内周壁）
６１ａ  当接フラップ
６１ｂ  当接フラップ
６３    開口蓋
９１    保冷材
【図１】
0003114384.tif 000003
【図２】
0003114384.tif 000004
【図３】
0003114384.tif 000005
【図４】
0003114384.tif 000006
【図５】
0003114384.tif 000007
【図６】
0003114384.tif 000008
【図７】
0003114384.tif 000009
【図８】
0003114384.tif 000010